(57)【要約】【課題】端末の位置と移動速度から端末の置かれた状況を推定し、それぞれの状況に適した機能の制御を行う携帯端末を提供する。【解決手段】ＧＰＳを用いて端末の位置を検出し、所定の時間間隔で測定した２つの端末位置測定結果から端末移動速度を算出し、端末の位置と移動速度から端末の置かれた状況を推定して、それぞれの状況に適した機能の制御を行う。具体的には、ＧＰＳを用いて端末の位置を検出する位置検出部と、地図データを記憶する地図データ記憶部と、位置情報から地図データにおける端末の地図上位置を算出する位置算出部と、地図上位置のデータから端末移動速度を算出する速度算出部と、地図上位置のデータと端末移動速度のデータとに基づいて端末の状態を推定する状態推定部と、端末の状態情報に基づいて端末の機能を制御する制御部、とにより実現する。【選択図】  図１
2005051288.tif 000002
【特許請求の範囲】
【請求項１】
ＧＰＳを用いて端末の位置を検出する位置検出部と、
地図データを記憶する地図データ記憶部と、
前記位置検出部から出力される位置情報から前記地図データにおける端末の地図上位置を算出する位置算出部と、
前記位置算出部から出力される地図上位置のデータから端末移動速度を算出する速度算出部と、
前記位置算出部から転送される地図上位置のデータと前記速度算出部から転送される端末移動速度のデータとに基づいて端末の状態を推定する状態推定部と、前記状態推定部から転送される端末の状態情報に基づいて端末の機能を制御する制御部と、を具備することを特徴とする携帯端末。
【請求項２】
前記制御部は、前記状態推定部が出力する種々の状態情報に対応した制御を、端末使用者の指定に基づいて行うことを特徴とする請求項１記載の携帯端末。
【請求項３】
前記制御部は、前記状態推定部が出力する種々の状態情報に対応した制御を、あらかじめ指定された内容で行うことを特徴とする請求項１記載の携帯端末。
【請求項４】
前記制御部が行っている制御を表示する表示部を有することを特徴とする請求項１から請求項３のいずれか記載の携帯端末。
【発明の詳細な説明】
【０００１】
【発明の属する技術分野】
この発明は、携帯電話機やＰＨＳや携帯情報端末（ＰＤＡ：Ｐｅｒｓｏｎａｌ  Ｄｉｇｉｔａｌ  Ａｓｓｉｓｔａｎｔｓ）などの携帯端末に係わり、特にＧＰＳ（Ｇｌｏｂａｌ  Ｐｏｓｉｔｉｏｎｉｎｇ  Ｓｙｓｔｅｍ：全方位測位システム）による位置検出装置を備えた携帯端末に関する。
【０００２】
【従来の技術】
近年、携帯電話などの移動体通信が普及するにつれ、その高機能化が進み、ＧＰＳを利用した位置検出装置を備えた端末が普及している。また、携帯電話はその携帯性のゆえに、病院、電車内、自動車の運転中など、マナーや安全性の観点から使用を禁止したり、着信音を消すなど機能を制限したりすべき状況でも利用可能である。この問題に対処するための、着信音を消し着信を振動で知らせる機能は周知の技術である。また、ＧＰＳを利用し端末の位置を求め、その端末の位置から端末の移動速度を算出し、端末の移動速度に基づいて機能を制御する端末が提案されている（例えば特許文献１）。
【０００３】
【特許文献１】
特開２００２−３４５０２０
【０００４】
【発明が解決しようとする課題】
しかしながら、前記のように端末の移動速度のみに基づいて端末の制御を行うと、例えば、移動しておらず移動速度が０のときでも、病院内にいるときのように携帯端末の利用そのものを禁止するべきなのか、道端で立ち止まっていて携帯端末の全機能を使用可能にすべきなのか判断がつかないという問題がある。また、自動車の速度で移動していても、それが個人の自動車に同乗していて特にマナーに気をつける必要がないのか、バスに乗っていてマナーに気をつける必要があるのか区別がつかないという問題がある。
【０００５】
本発明は、上記事情に着目してなされたもので、ＧＰＳ装置を用い、端末の地図上位置と端末移動速度とから端末の現状態を推定することによって、その状態に、適した、若しくは、指定された制御を行う携帯端末を提供することを目的としている。
【０００６】
【課題を解決するための手段】
上記目的を達成するため、本発明は、ＧＰＳを用いて端末の位置を検出する位置検出部と、地図データを記憶する地図データ記憶部と、前記位置検出部から出力される位置情報から前記地図データにおける端末の地図上位置を算出する位置算出部と、前記位置算出部から出力される地図上位置のデータから端末移動速度を算出する速度算出部と、前記位置算出部から転送される地図上位置のデータと前記速度算出部から転送される端末移動速度のデータとに基づいて端末の状態を推定する状態推定部と、前記状態推定部から転送される端末の状態情報に基づいて端末の機能を制御する制御部とを具備することを特徴とする。
【０００７】
また、本発明は、ＧＰＳを用いて端末の位置を検出する位置検出部と、地図データを記憶する地図データ記憶部と、前記位置検出部から出力される位置情報に基づいて、端末が前記地図データ上のどの地点にいるかを算出する位置算出部と、前記位置算出部から出力される最新２つの端末の地図上位置データから端末の移動速度を求める速度算出部と、前記速度算出部から出力される端末の速度と前記位置算出部から出力される端末の地図上位置とに基づいて、端末の状態を推定する状態推定部と、前記状態推定部から出力される端末の状態情報に基づいて、端末の機能を制御する機能制御部と、現在の端末の機能制御状態を表示する表示部と、を備え、前記位置検出部は、常に所定の時間間隔で位置を検出して、そのデータを前記位置算出部に転送し、前記位置算出部は、前記位置検出部から転送された端末位置データと前記地図データ記憶部のデータとによって、端末の地図上位置を算出し、その端末の地図上位置データを前記速度算出部と前記状態推定部とに転送し、前記速度算出部は、前記位置検出部から転送された最新２つの端末位置データから端末移動距離を算出し、それを前記位置検出部が位置を検出する所定の時間間隔の時間で除算して端末移動速度を算出し、その端末移動速度データを前記状態推定部に転送し、前記状態推定部は、前記速度算出部から転送される端末移動速度データと前記位置算出部から転送される端末の地図上位置データとから端末の状態を推定し、前記機能制御部は、前記状態推定部から入力された端末の状態に適した、若しくは、指定された制御を行い、表示部は、現在行われている制御を表示すること、を特徴とする。
【０００８】
従って、この発明によれば、端末の置かれた状態を推定することができ、より状況に適したきめ細かい端末の制御を行うことが可能になる。
【０００９】
【発明の実施の形態】
図１はこの発明の実施形態に係わる携帯端末の回路構成を示すブロック図である。
【００１０】
この携帯端末は、ＧＰＳを用いて端末位置を検出する位置検出部１０と、地図データを記憶する地図データ記憶部２０と、位置検出部１０で検出された位置データと地図データ記憶部２０のデータとをもとに、端末の地図上位置を算出する位置算出部３０と、前記位置算出部３０の最新の位置データ２個から端末の移動距離を求め、それを位置データを検出する所定の時間間隔の時間で除算し、端末の移動速度を求める移動速度算出部４０と、位置算出部３０のデータと移動速度算出部４０のデータをもとに、現在の端末の状態を推定する状態推定部５０と、状態推定部５０によって推定される端末の現状態に、適した、若しくは、指定された制御を行う制御部６０と、制御部６０が行っている制御を表示する表示部７０と、から構成される。
【００１１】
具体的な処理は以下の通りである。図２は制御手順を示すフローチャートである。
【００１２】
位置検出部１０は、常に所定の時間間隔で端末位置を測定し、その端末位置データを位置算出部３０に転送する（図２の２ａ）。位置算出部３０は、位置検出部１０から現在の端末位置データを転送されたとき、そのデータと地図データ記憶部２０の地図データとをもとに、端末の地図上位置を算出し、そのデータを移動速度算出部４０と状態推定部５０とに転送する（図２の２ｂ）。移動速度算出部４０は、位置算出部３０から転送された端末の最新２つの地図上位置データから端末移動距離を算出し、それを端末位置を計測する時間間隔の時間で除算することによって端末移動速度を算出し、それを状態推定部５０に通知する（図２の２ｃ）。状態推定部５０は、位置算出部３０から転送された端末の地図上位置データと移動速度算出部４０から転送された端末移動速度データとをもとに、現在の端末の状態を推定する（図２の２ｄ）。制御部６０は、状態推定部５０によって推定される端末の現状態に、適した、若しくは、指定された制御を行う（図２の２ｅ）。
表示部７０は、制御部６０が行っている制御を表示する（図２の２ｆ）。
【００１３】
ここで、本実施形態において、端末の各状態と各状態に遷移するための条件と各状態における指定された制御とが図３の様に定義された場合に、端末所有者が徒歩でバス停に行き、バスに乗って図書館に移動し、図書館で本を読む場合の端末の動作例を挙げ、図４に各状態における端末の表示部７０の画面を示す。
【００１４】
端末所有者が歩行中に、位置検出部１０が端末位置を検出し、その端末位置データを位置算出部３０に転送する。位置算出部３０は、地図データ記憶部２０の地図データとをもとに、端末の地図上位置を算出し、その端末の地図上位置データを移動速度算出部４０と状態推定部５０とに転送する。移動速度算出部４０は、位置算出部３０から転送された最新２つの端末の地図上位置データから端末移動距離を算出し、それを端末位置を計測する時間間隔の時間で除算することによって端末移動速度を算出し、それを状態推定部５０に通知する。状態推定部５０は、位置算出部３０から転送された端末の地図上位置データと移動速度算出部４０から転送された端末移動速度データとをもとに、現在の端末の状態を推定する。移動速度算出部４０から転送された端末移動速度データから、端末が徒歩の速度で移動していることが判明するので、状態推定部５０は、端末の状態を「徒歩」に遷移させ、状態の遷移を制御部６０に通知する。制御部６０は、状態「徒歩」に指定された制御「全機能使用可能」を行い、表示部７０は制御「全機能使用可能」を示す表示を行う（図４の（ｃ））。
【００１５】
端末所有者がバス停に到着しバスを待っているとき、上記と同様の動作により、状態推定部５０は、端末所有者が公的な場所であるバス停におり、静止していることが分かるので、状態を「静止」に遷移させ、状態の遷移を制御部６０に通知する。制御部６０は、状態「静止」に指定された制御「音の出る機能の使用禁止」を行い、表示部７０は制御「音の出る機能の使用禁止」を示す表示を行う（図４の（ｂ））。
【００１６】
端末所有者がバスに乗ったとき、上記と同様の動作により、状態推定部５０は、端末所有者がバス停で静止したあと車の移動速度で移動していることが分かるので、状態を「公共交通機関」に遷移させ、状態の遷移を制御部６０に通知する。制御部６０は、状態「公共交通機関」に指定された制御「発着信禁止」を行い、表示部７０は制御「発着信禁止」を示す表示を行う（図４の（ａ））。
【００１７】
端末所有者が図書館に到着し、本を読み始めたとき、上記と同様の動作により、状態推定部５０は、端末所有者が公共の場所である図書館で静止していることが分かるので、状態を「静止」に遷移させ、状態の遷移を制御部６０に通知する。制御部６０は、状態「静止」に指定された制御「音の出る機能の使用禁止」を行い、表示部７０は制御「音の出る機能の使用禁止」を示す表示を行う（図４の（ｂ））。
【００１８】
この例ではバス停からバスに乗車する場合を考えたが、偶然バス停付近から個人所有の車に乗車する場合もありうる。その場合は、乗車直後は状態推定部５０は端末の状態を「公共交通機関」と判断してしまうが、個人所有の車は途中のバス停では止まらないので、幾つかのバス停を止まらずに通過したことを確認した後に、状態を「個人の車」に遷移させ、状態の遷移を制御部６０に通知する。制御部６０は、状態「個人の車」に指定された制御「全機能使用可能」を行い、表示部７０は制御「全機能使用可能」を示す表示を行う。
【００１９】
この例では端末の各状態と各状態に遷移するための条件と各状態における指定された制御とが図２の様に定義された場合を示したが、端末所有者が自分で状態とその状態に遷移するための条件とその状態における制御とを定義してもよい。
【００２０】
【発明の効果】
本発明により、端末の置かれた状態を詳しく知ることができるので、それぞれの状態に適した、よりきめ細かい端末の制御を行うことができる。
【００２１】
【図面の簡単な説明】
【図１】この発明の実施形態に係わる携帯端末の回路構成を示すブロック図である。
【図２】この発明の実施形態の制御手順を示すフローチャートである。
【図３】端末の各状態と各状態に遷移するための条件と各状態における指定された制御とを定義した表である。
【図４】各状態において表示部に表示される画面の例である。
【符号の説明】
１０…位置検出部、２０…地図データ記憶部、３０…位置算出部、４０…移動速度算出部、５０…状態推定部、６０…制御部、７０…表示部。
【図１】
2005051288.tif 000003
【図２】
2005051288.tif 000004
【図３】
2005051288.tif 000005
【図４】
2005051288.tif 000006